(57)【要約】    【課題】  脈拍、呼吸、いびき等の生体情報を高効率で収集することができると共に、生体情報の検出感度が高く、しかも、寝心地を劣化させることがない生体情報収集装置付きベッドを提供する。    【解決手段】  凹凸又は開口部２を有するベッド基台の床１上に、マットレス５が配置されており、この床１とマットレス５との間に、振動抑制板４と空気室３とが重ねられて配置されている。患者Ｐの呼吸等の生体情報は空気室３に伝達され、空気室内の空気圧の変動として検出されるが、このとき、空気室３の下方には振動抑制板４が配置されているので、開口部２においても、空気室の壁が自由に振動して、空気室内の圧力変動が減少してしまうことがない。このため、生体情報を高感度で検出できる。【選択図】  図１
2005052524.tif 000002
【特許請求の範囲】
【請求項１】
凹凸又は開口を有するベッド基台と、このベッド基台上に配置されたクッション部材と、前記ベッド基台と前記クッション部材との間又は前記クッション部材の上に配置された空気室と、この空気室の空気圧変動を検出してベッド上に横たわった人の生体物理現象を計測する検出部材と、前記空気室と前記ベッド基台との間に配置され前記空気室に整合する形状のシート状の振動抑制板とを有することを特徴とする生体情報収集装置付きベッド。
【請求項２】
ベッド基台と、このベッド基台上に配置されたクッション部材と、前記ベッド基台と前記クッション部材との間又は前記クッション部材の上に配置された空気室と、この空気室の空気圧変動を検出してベッド上に横たわった人の生体物理現象を計測する検出部材と、前記空気室よりも上方に配置され前記空気室に整合する形状のシート状の振動抑制板とを有することを特徴とする生体情報収集装置付きベッド。
【請求項３】
ベッド基台が複数個のボトムから構成され、全てのボトムにより一平面が構成される状態と全てのボトムが連続的なつながりをもちつつ少なくとも一部のボトムが起き上がる状態との間で少なくとも一部のボトムが揺動するギャッチベッドであって、前記ベッド基台上に配置されたクッション部材と、前記ベッド基台と前記クッション部材との間又は前記クッション部材の上に配置された空気室と、この空気室の空気圧変動を検出してベッド上に横たわった人の生体物理現象を計測する検出部材と、前記空気室の上方又は下方に配置されたシート状の振動抑制板とを有し、前記空気室はこの空気室が配置されたボトムよりも平面視で小さく、前記振動抑制板は平面視で前記空気室が配置されたボトムと同一か又はそれより小さく、前記空気室と同一か又はそれより大きいことを特徴とする生体情報収集装置付きベッド。
【請求項４】
前記空気室、振動抑制板及びボトムを一体的に保持するための固定部材を有することを特徴とする請求項３に記載の生体情報収集装置付きベッド。
【請求項５】
前記空気室及び前記振動抑制板の少なくとも一方は、前記マットレスを覆うマットレスカバーの内側に収納部を設け、この収納部内に収納されていることを特徴とする請求項１乃至４のいずれか１項に記載の生体情報収集装置付きベッド。
【請求項６】
前記生体物理現象は、呼吸、心拍、いびき及び体動からなる群から選択されたものであることを特徴とする請求項１乃至５のいずれか１項に記載の生体情報収集装置付きベッド。
【発明の詳細な説明】
【技術分野】
【０００１】
本発明は、空気室を使用して、就寝中又はベッド上に横臥しているときの呼吸、心拍、いびき及び体動等を計測することができる生体情報収集装置を備えたベッドに関する。
【背景技術】
【０００２】
生体の呼吸、心拍、咳、いびき及び体動等の生体情報を、人体に検査装置を付けることなく計測するようにした生体情報収集装置は、病院内で入院患者を遠隔的にかつ集中的に監視したり、通信手段を併用することにより在宅治療中の患者を監視するために有用である。また、この生体情報収集装置は、病院のみならず、健康人の睡眠時の生体情報を監視するモニタとしても有用であり、無呼吸症候群及び睡眠時不整脈等の検出にも応用される、また、風邪又は女性性周期ホルモン変化などの発熱に起因する心拍数、呼吸の変動観察も可能である。更には、生体情報収集装置により、睡眠の時期又は睡眠の深さ（レム睡眠又はノンレム睡眠）の判定も可能で、快適な目覚ましのタイミングを図ることもできる。
【０００３】
従来、この種の生体情報収集装置は、気密性を有する柔軟なゴム、プラスチック又は布等で製作された空気袋と、この空気袋内の空気圧力の変動を空気袋の内部又は外部で測定する無指向性マイクロフォン又は圧力センサとを設け、この無指向性マイクロフォン又は圧力センサの検出信号はリード線により外部の受信装置に伝達されて、信号処理されるようになっている（特許文献１：特開２００１−２７６０１９）。
【０００４】
この従来技術においては、生体情報を収集される人が使用するベッド上に、空気室を載置し、更にその上に、ベッドの全域を覆う板状部材を載置し、その上に、患者等の人間が寝て、患者の脈拍数及び呼吸数等の生体情報を前記板状部材を介して空気袋内の空気圧力の変動として前記マイクロフォン等により測定する。この場合に、前記板状部材は、ベッドの全域を覆うようになっており、前記空気袋は板状部材の中央に１個設ける場合の他、長手方向の両端部に２個設けたり、４隅部に４個設けても良いというように開示されている。つまり、この従来技術は、板状部材を介して患者の脈拍数及び呼吸数等を空気袋に伝達するようになっており、患者の位置がベッド上でずれても、生体情報の検出に支障がないようになっている。
【０００５】
しかしながら、このようにベッドの全域を覆う板状部材を設けることは、患者の寝心地を損なうものであり、生体情報の収集を行う検査期間のみ使用する場合はともかく、通常のベッドとして使用する場合は患者にとって苦痛となる。また、これらの生体情報は、長期間に亘って収集するものであり、例えばいびきの情報を収集する場合は１晩中収集するのが通常であり、検査期間自体も長いものであり、前記板状部材を使用することは患者にとって好ましくない。
【０００６】
そこで、図１７に示すように、板状部材を使用せずに、ベッドの床２１（ボトムともいう）上に、空気室２３（空気袋）を載置し、その上に、マットレス２５を置き、患者Ｐ又はベッド使用者がこのマットレス２５の上に寝るようにすれば、患者Ｐは寝心地を損なうことなく、通常の睡眠状態で患者Ｐの生体情報を採取することができる。なお、空気室２３は空気が密閉されているが、微小の開口部２６を有し、この開口部２６にチューブ２８が連結されていて、空気室２３内の空気の振動（圧力変動）が、このチューブ２８を介して、ベッド外に設けられたマイクロフォン（図示せず）に伝達され、マイクロフォンにより検出されるようになっている。そして、このマイクロフォンにより検出された空気室内の圧力変動の電気信号が信号処理装置により信号処理されて、脈拍数、呼吸数及びいびきの回数等が検出される。
【０００７】
また、図１６は床２１を示す平面図である。この図１６に示すように、ベッドの床２１には、その幅方向及び長手方向に、矩形の開口部２２が配列されている。そして、空気室２３は、ベッドの幅方向の全域をカバーするが、ベッドの長手方向については、患者Ｐの背の部分のみをカバーするように、ベッドの幅方向に細長い形状を有しており、この空気室２３が床２１上に載置される。これは、患者Ｐのベッド上の位置は、ベッドの幅方向の全域である可能性があるが、心臓等の生体情報を送出する器官は、患者Ｐの背中の部分のみであるからである。
【０００８】
一方、図１８に示すように、板状部材を使用せずに、ベッドの床２１上に、マットレス２５を載置し、その上に、空気室２３を載置し、この空気室２３及びマットレス２５上に患者Ｐが寝るようにすれば、患者Ｐの脈拍又は呼吸による振動が直接空気室２３内の空気に伝達され、より高感度で患者Ｐの生体情報を採取することができる。なお、図１８の場合は、患者の背中に空気室２３が接触し、異物の存在は患者Ｐに感知されてしまうが、空気室２３もクッション性があり、マットレス２５のクッション性との感覚の相違は僅かである。
【０００９】
【特許文献１】特開２００１−２７６０１９号公報
【発明の開示】
【発明が解決しようとする課題】
【００１０】
しかしながら、ベッドの床２１には、通気性確保及び軽量化を目的にして、通常、多数の凹み又は開口部２２が設けられている。このため、図１７に示すように、床２１の上に、空気室２３を配置した場合、患者Ｐから発せられた脈拍又は呼吸等の振動２９は、マットレス２５を介して空気室２３に伝達されるものの、空気室２３の下面における開口部２２に相当する部分、即ち、床２１に接触していない部分から、空気室内の空気の圧力変動のエネルギが空気室の膜又は壁の振動となって消費され、空気室内の圧力変動のエネルギが減少してしまう。このため、脈拍又は呼吸等の生体情報の検出感度が低下する。
【００１１】
また、図１８に示すように、マットレス２５の上に空気室２３を置いた場合には、患者Ｐが接触している部分の空気室２３においては脈拍及び呼吸等の振動が直接空気室２３内に伝達されるものの、ベッド幅方向に延びる空気室２３における患者Ｐが接触していない部分、即ち、空気室２３の上面における患者Ｐが存在しない部分から、空気室内の空気の圧力変動のエネルギが空気室の膜又は壁の振動となって消費され、空気室内の圧力変動のエネルギが減少してしまう。このため、脈拍又は呼吸等の生体情報の検出感度が低下する。
【００１２】
本発明はかかる問題点に鑑みてなされたものであって、脈拍、呼吸、いびき等の生体情報を高効率で収集することができると共に、生体情報の検出感度が高く、しかも、寝心地を劣化させることがない生体情報収集装置付きベッドを提供することを目的とする。
【課題を解決するための手段】
【００１３】
本願第１発明に係る生体情報収集装置付きベッドは、凹凸又は開口を有するベッド基台と、このベッド基台上に配置されたクッション部材と、前記ベッド基台と前記クッション部材との間又は前記クッション部材の上に配置された空気室と、この空気室の空気圧変動を検出してベッド上に横たわった人の生体物理現象を計測する検出部材と、前記空気室と前記ベッド基台との間に配置され前記空気室に整合する形状のシート状の振動抑制板とを有することを特徴とする。
【００１４】
本願第２発明に係る生体情報収集装置付きベッドは、ベッド基台と、このベッド基台上に配置されたクッション部材と、前記ベッド基台と前記クッション部材との間又は前記クッション部材の上に配置された空気室と、この空気室の空気圧変動を検出してベッド上に横たわった人の生体物理現象を計測する検出部材と、前記空気室よりも上方に配置され前記空気室に整合する形状のシート状の振動抑制板とを有することを特徴とする。
【００１５】
なお、上記第１及び第２発明において、前記振動抑制板は、前記空気室に整合する形状を有するが、これは、平面視で前記振動抑制板と前記空気室とが重なる状態をいい、基本的には、振動抑制板と空気室とは同一の平面形状を有するが、振動抑制板の方が空気室より大きいことを前提として、大きさが若干異なっていても良い。つまり、振動抑制板の方が空気室より若干大きくても良い。但し、本発明の場合は、この振動抑制板がベッドの全域を覆うような大きなものではない。
【００１６】
本願第３発明に係る生体情報収集装置付きベッドは、ベッド基台が複数個のボトムから構成され、全てのボトムにより一平面が構成される状態と全てのボトムが連続的なつながりをもちつつ少なくとも一部のボトムが起き上がる状態との間で少なくとも一部のボトムが揺動するギャッチベッドであって、前記ベッド基台上に配置されたクッション部材と、前記ベッド基台と前記クッション部材との間又は前記クッション部材の上に配置された空気室と、この空気室の空気圧変動を検出してベッド上に横たわった人の生体物理現象を計測する検出部材と、前記空気室の上方又は下方に配置されたシート状の振動抑制板とを有し、前記空気室はこの空気室が配置されたボトムよりも平面視で小さく、前記振動抑制板は平面視で前記空気室が配置されたボトムと同一か又はそれより小さく、前記空気室と同一か又はそれより大きいことを特徴とする。
【００１７】
この第３発明において、前記空気室、振動抑制板及びボトムを一体的に保持するための固定部材を有することが好ましい。
【００１８】
また、前記空気室及び前記振動抑制板の少なくとも一方は、前記マットレスを覆うマットレスカバーの内側に収納部を設け、この収納部内に収納するように構成することもできる。更に、前記生体物理現象は、例えば、呼吸、心拍、いびき及び体動（寝返り）である。
【００１９】
本願第１発明においては、空気室の下面に振動抑制板が存在するので、床の開口部の直上域に空気室を配置した場合でも、空気室内の空気の圧力変動は、振動抑制板により反射して空気室内にとどまり、空気室内の圧力変動のエネルギが減少することはなく、生体情報を高感度で検出することができる。
【００２０】
また、本願第２発明においては、空気室の上面に振動抑制板を配置したので、空気室における患者が寝ていない部分にも、振動抑制板が存在し、このため、患者が寝ていない部分から空気室の圧力変動のエネルギが逃げてしまうことを防止することができる。これにより、生体情報を高感度で検出することができる。
【００２１】
更に、本願第３発明においては、ギャッチベッドにおいて、平面視で、空気室の大きさを、振動抑制板及び前記空気室が配置されるボトムの大きさより小さいものとし、前記振動抑制板の大きさを、前記空気室と同一か又はそれより大きいものとし、前記ボトムの大きさと同一か又はそれより小さいものとしたので、ギャッチベッドの動きを邪魔することなく、空気室内の圧力変動のエネルギが空気室の壁の振動として逃げてしまうことを防止することができる。これにより、生体情報を高感度で検出することができる。
【００２２】
なお、以上の説明から明らかなように、振動抑制板の材質は、空気室内の圧力変動による空気室壁の振動を抑制し、振動抑制板自体が振動してしまうことがないものであればよい。
【発明の効果】
【００２３】
以上詳述したように、本発明によれば、振動抑制板を空気室の上方又は下方に配置することにより、床に開口部又は凹みがあっても、また、患者がのっていない部分が空気室に存在しても、空気室の壁が自由に振動することによる空気室内の圧力変動の減少を防止することができ、脈拍、呼吸、いびき及び体動等の生体情報を高感度で測定することができる。
【発明を実施するための最良の形態】
【００２４】
以下、本発明の実施の形態について添付の図面を参照して具体的に説明する。図１は本発明の第１実施形態を示す図である。図１はベッド長手方向の縦断面図である。ベッド基台の床１上に、空気室３が載置され、この空気室３を含む床１上に、マットレス５が載置されている。このマットレス５上に検査を受ける患者Ｐが横になる。なお、床１には、複数個の開口部２が設けられている。本実施形態においては、空気室３と床１との間に振動抑制板４が配置されている。空気室３はベッドの幅方向のほぼ全域まで延び、ベッドの長手方向については患者Ｐの背中に相当する領域を占める横長の形状を有する。振動抑制板４はこの空気室３の下面に接し、空気室３に整合する形状を有する。具体的には、平面視で、振動抑制板４は空気室３と実質的に同一の大きさであるが、空気室３より若干大きい。また、空気室３は内部に空気が密閉されており、その一端部に微小の開口部６が設けられていて、この開口部６にチューブ８が接続されている。このチューブ８はマイクロフォン（図示せず）が内蔵されたチャンバ内に接続されており、空気室３内の圧力変動がチューブ８を介して前記チャンバ内に伝達され、マイクロフォンにより検出されて電気信号に変換される。この空気室３内の圧力変動を示す電気信号から、信号処理装置（図示せず）により、脈拍、呼吸、いびき、体動等の生体情報が抽出又は検出される。この空気室３内の圧力変動を電気信号に変換し、それを信号処理して生体情報を検出するセンサ装置は、従来公知のものである（例えば、特許文献１）。
【００２５】
なお、振動抑制板４は空気室３の壁の自由な振動を抑制することができるものであれば、種々の素材を使用することができ、軟質のものでも、硬質のものでも使用でき、例えば、銅板のように剛性をもつものの他、ダンボール又は硬質のゴム板等も使用できる。
【００２６】
上述の如く構成された本実施形態の生体情報収集装置付きベッドにおいては、先ず、患者Ｐがマットレス５上に横になる。そうすると、この患者Ｐの背中の部分には空気室３が位置し、更に空気室３の下方には、振動抑制板４が位置している。このため、患者Ｐの脈拍、呼吸、いびき、体動等の振動９が空気室３に伝搬し、空気室３内の空気の圧力変動が生じた場合に、この圧力変動により、床１の開口部２の箇所で空気室３の壁が振動しようとしても、振動抑制板４により壁振動が抑制又は防止され、空気室内の圧力変動のエネルギが減少してしまうことを防止できる。よって、本実施形態においては、脈拍及び呼吸等により空気室内の圧力変動が効率的に生じ、生体情報を高感度で検出することができる。
【００２７】
図２は本発明の第２実施形態に係る生体情報収集装置付きベッドを示す模式図である。図２はベッド幅方向の縦断面図である。本実施形態においては、床１の上に、マットレス５が載置されており、このマットレス５の上に、空気室３が載置され、更に空気室３の上に、振動抑制板４が載置されている。この空気室３も、図１の実施例と同様に、ベッドの幅方向の全域を覆い、ベッドの長手方向の患者Ｐの背中の部分を覆うものである。
【００２８】
このように構成された第２実施形態の生体情報収集装置付きベッドにおいても、患者Ｐから発せられた呼吸及び心拍等の振動は振動抑制板４を介して空気室３内の空気に伝達し、空気室３内の空気の振動として検出される。この場合に、空気室３における患者Ｐが上に寝ていない部分において、空気室３の壁が振動しようとするが、この部分の空気室３の上面には振動抑制板４が載置されているので、この空気室３の振動は抑制され、空気室３内に伝達された呼吸等の振動のエネルギは損なわれず、高感度でマイクロフォンに検出される。
【００２９】
本実施形態においても、振動抑制板４は、空気室３と同等の大きさを有し、空気室３よりも若干大きくても良い。これにより、空気室３内の空気の圧力変動を有効に空気室内に閉じこめることができる。
【００３０】
次に、図３の平面図を参照して本発明をギャッチベッドに適用した実施形態について説明する。このギャッチベッドは、ベッドの長手方向に、頭部ボトム３１と、背ボトム３２と、腰ボトム３３と、膝ボトム３４と、足ボトム１５とが配置されており、背ボトム３２と腰ボトム３３との間が可動湾曲部３６により連結されている。腰ボトム３４は水平状態に固定されており、頭部ボトム３１及び背ボトム３２は図４に示すように回動し、起立することができる。この場合に、可動湾曲部３６が湾曲することにより、背ボトム３２と腰ボトム３３との間を滑らかに連結する。また、膝ボトム３４及び足ボトム３５も回動して起き上がることができるようになっている。また、各ボトム３２，３３，３４，３５には、軽量化のために夫々複数個の開口部３７が形成されている。
【００３１】
本実施形態においては、背ボトム３２上に、シート状の振動抑制板４２が載置され、この振動抑制板４２上に空気室４１が載置されている。このように、振動抑制板４２及び空気室４１を載置した後、各ボトム上に、マットレス（図３に図示せず）が載置される。而して、本実施形態においては、振動抑制板４２は背ボトム３２とほぼ同じ大きさを有し、この振動抑制板４２上に載置される空気室４１は振動抑制板４２よりも小さい。しかし、本発明はこれに限らず、振動抑制板４２は背ボトム３２の回動を妨げないように、背ボトム３２と同等か又はそれより小さければよい。また、空気室は、空気室壁が振動して空気室内における空気圧力の変動によるエネルギが減少しないように、振動抑制板４２と同等か又はそれより小さければよい。
【００３２】
このように構成された生体情報収集装置付きベッドにおいては、空気室４１により患者の脈拍、呼吸及びいびき等の生体情報を検出することができる。しかも、この空気室４１の下方には、振動抑制板４２が配置されているので、背ボトム３２の開口部３７にて空気室４１の壁が自由に振動することによる空気室内の圧力変動の減少を防止することができ、生体情報を高感度で測定することができる。
【００３３】
ところで、図４に示すように、ギャッチベッドは、ボトムが回動して、マットレス５０がボトムに対して位置ずれを起こす。そうすると、図３に示すように、マットレスと、床である背ボトム３２との間に、振動抑制板４２と空気室４１とを挟んだだけの状態では、空気室４１及び振動抑制板４２もその位置がずれてしまうことがある。
【００３４】
これを防止するために、図５及び図６に示すように、背ボトム３２に対し、その開口部３７を利用して、ベルト部材４３により空気室４１と振動抑制板４２とを固定することが好ましい。このベルト部材４３は、図７に示すように、相互に端部が外側を向くような形状のコ字状の１対の切り込み４４を設けたものであり、樹脂又はプラスチック等の比較的弾性を有する素材により形成されている。このベルト部材４３の中央部を、背ボトム３２上の振動抑制板４２上に重ねた空気室４１の上に重ね、ベルト部材４３を空気室４１の端部に沿って背ボトム３２側に屈曲させ、ベルト部材４３の両端部を背ボトム３２の開口部２７に挿入し、更に背ボトム３２の下面において、ベルト部材４３の端部を逆向きに、即ち外側に屈曲させる。そうすると、ベルト部材４３の端部の切り込み４４に囲まれた部分がベルト部材４３から分離して、背ボトム３２の下面に係止される。これにより、ベルト部材４３の両端部が背ボトム３２の下面で係止され、背ボトム３２の開口部３７から抜け出ることはなく、ベルト部材４３により振動抑制板４２と空気室４１とを背ボトム３２に固定することができる。なお、ベルト部材４３は、切り込み４４に囲まれた部分を内側に曲げることにより、容易に背ボトム３２から離脱させることができ、これにより、振動抑制板４２及び空気室４１を背ボトム３２から容易に取り外すことができる。
【００３５】
また、図８及び図９に示すように、ベルト部材４５を振動抑制板４２及び空気室４１と背ボトム３２とを取り囲むように、背ボトム３２の開口部３７を介して巻き付け、その両端部４６を相互に固定することにより、振動抑制板４２及び空気室４１を背ボトム３２に固定することができる。この両端部４６の固定方法は、マジックテープ、接着剤、及びボタン等がある。
【００３６】
図１０は、本発明の第４実施形態を示す図である。本実施形態においては、マットレス５１を被覆するカバー５２に、振動抑制板５４を収納するための収納部５３を設ける。即ち、マットレスカバー５２におけるマットレス５１が空気室５５と対向する部分の内側に、収納部５３を設け、この収納部５３内に振動抑制板５４を収納して、マットレス５１と空気室５５との間に振動抑制板５４を配置する。
【００３７】
これにより、図５乃至図９に示す実施形態のように、振動抑制板を背ボトムに固定することなく、ギャッチベッドにおいて、マットレスがずれるときの振動抑制板のずれを防止することができる。
【００３８】
なお、上記実施形態においては、空気室内の空気の圧力変動をマイクロフォンにより検出するが、この空気室内の圧力変動は、マイクロフォンだけではなく、空気の振動を検出できるものであればよく、圧力センサ等も使用できる。
【００３９】
また、図１１に示すように、振動抑制板６２を、空気室６１を挟み込むような断面Ｕ字状に形成してもよく、この振動抑制板６２により空気室６１を挟み込んだ状態で、これをマットレス６３と床６０との間に挿入することにより、空気室６１を容易に所定の位置に配置することができる。
【００４０】
また、図１２に示すように、振動抑制板６４及び６５を空気室６１の夫々上面及び下面に重ね、空気室６１の上面及び下面の双方で、空気室６１内の空気の圧力変動を空気室内に閉じこめるようにしてもよい。これにより、生体情報の検出を更に一層高感度にすることができる。
【００４１】
更に、図１３に示すように、マットレスの下方に、振動抑制板６５と空気室６１とを設けても良い。この場合も、空気室６１の上に振動抑制板６５を配置することにより、患者Ｐが寝ていない部分から、空気室６１の圧力変動が漏れて、検出感度が低下することを防止することができる。
【実施例】
【００４２】
次に、本発明の実施例の効果について、従来例と比較して説明する。図１４は図１に示す実施形態のように、振動抑制板４を空気室３の下方に配置した場合の出力電圧（空気室内の圧力変動のマイクロフォンによる測定結果）の変化を示すグラフ図である。図１４は呼吸を測定したものである。この図１４に示すように、従来（破線）のように、振動抑制板がない場合に比して、本発明（実線）の場合は、振動抑制板を設けることにより、出力電圧の振幅が大きくなっており、感度が上昇したことがわかる。
【００４３】
また、図１５は図２に示す実施形態のように、振動抑制板４を空気室３の上方に配置した場合の出力電圧（空気室内の圧力変動のマイクロフォンによる測定結果）の変化を示すグラフ図である。図１５も同様に呼吸を測定したものである。この図１５に示すように、従来（破線）のように、振動抑制板がない場合に比して、本発明（実線）の場合は、振動抑制板を設けることにより、出力電圧の振幅が大きくなっており、感度が上昇したことがわかる。
【００４４】
なお、上記図１４及び図１５に示すデータは、被測定者にベッド上に仰向けに寝てもらい、胸部下に振動抑制板をおいて測定したものである。振動抑制板の材質は、アクリル製であり、大きさは、幅が８００ｍｍ、長さが３００ｍｍ、厚さが１ｍｍである。また、測定信号には１．５Ｈｚのローパスフィルタをかけた。
【図面の簡単な説明】
【００４５】
【図１】本発明の第１実施形態を示す図である。
【図２】本発明の第２実施形態を示す図である。
【図３】本発明の第３実施形態を示す図である。
【図４】ボトムの起きあがり状態を示す図である。
【図５】振動抑制板及び空気室の固定方法を示す平面図である。
【図６】同じくその横断面図である。
【図７】同じくその固定ベルトを示す図である。
【図８】振動抑制板及び空気室の他の固定方法を示す平面図である。
【図９】同じくその横断面図である。
【図１０】本発明の第４実施形態を示す図である。
【図１１】本発明の第５実施形態を示す図である。
【図１２】本発明の第６実施形態を示す図である。
【図１３】本発明の第７実施形態を示す図である。
【図１４】本発明の実施例の出力電圧の変動を示す図である。
【図１５】本発明の他の実施例の出力電圧の変動を示す図である。
【図１６】ベッドの床の平面形状を示す平面図である。
【図１７】従来の空気室を使用した生体情報収集装置付きベッドを示す図である。
【図１８】従来の他の空気室を使用した生体情報収集装置付きベッドを示す図である。
【符号の説明】
【００４６】
１、２１、６０；床
２、２２；開口部
３、２３、４１、５５、６１；空気室
４、４２、５４、６２、６４、６５；振動抑制板
５、２５、５１、６３；マットレス
６；微小開口部
８；チューブ
３１〜３５；ボトム
３７；開口部
４３；ベルト
４４；切り込み
５２；マットレスカバー
【図１】
2005052524.tif 000003
【図２】
2005052524.tif 000004
【図３】
2005052524.tif 000005
【図４】
2005052524.tif 000006
【図５】
2005052524.tif 000007
【図６】
2005052524.tif 000008
【図７】
2005052524.tif 000009
【図８】
2005052524.tif 000010
【図９】
2005052524.tif 000011
【図１０】
2005052524.tif 000012
【図１１】
2005052524.tif 000013
【図１２】
2005052524.tif 000014
【図１３】
2005052524.tif 000015
【図１４】
2005052524.tif 000016
【図１５】
2005052524.tif 000017
【図１６】
2005052524.tif 000018
【図１７】
2005052524.tif 000019
【図１８】
2005052524.tif 000020